(57)【特許請求の範囲】
【請求項１】
容器の口筒部に取着され、キャップ本体と上蓋からなるヒンジキャップにおいて、
キャップ本体は、注出筒と、容器口筒部に嵌着される係合筒部と、上端外周にヒンジを連設する外周筒部とを具えており、
係合筒部は、上蓋と係合する蓋係合部が設けられ、
外周筒部は、ヒンジの反対側の外周上端に弱化部を介して蓋係合片が設けられており、
上蓋は、頂壁と、外筒壁を具え、
外筒壁の内周下端は、拡径され、キャップ本体の係合筒部の蓋係合部と係合する係合部が設けられ、外周下端の所定の位置には、ヒンジが連設され、ヒンジの反対側には、摘み部が設けられ、
摘み部の中央部と、蓋係合片の上部とが係合することを特徴とするヒンジキャップ。
【請求項２】
上蓋の摘み部の下面中央には、係合凹部が凹設され、
係合凹部が、キャップ本体の蓋係合片の上部に設けられた係合部と嵌合することを特徴とする請求項１記載のヒンジキャップ。
【請求項３】
上蓋の摘み部の中央には、係合孔が穿設され、
係合孔内に、キャップ本体の蓋係合片が嵌挿され、
係合孔の上端縁に、キャップ本体の蓋係合片の上部が引掛かるようになっていることを特徴とする請求項１記載のヒンジキャップ。
【発明の詳細な説明】
【技術分野】
【０００１】
本発明は、ヒンジキャップ、とくに容器内に充填した加熱殺菌された内容液によりキャップの上蓋内の空気が加熱され、内圧が上昇することにより、上蓋が開蓋することを防止したヒンジキャップに関するものである。
【背景技術】
【０００２】
殺菌のため加熱された内容液を充填するヒンジキャップにおいて、内容液を充填し、ヒンジキャップを打栓した後、容器内部を殺菌し、次いで、容器外部より温水シャワーで洗浄、冷却することは従来より行われている。
そしてまた、殺菌のための加熱処理によるキャップ内の空気圧の上昇により、上蓋が開蓋することを防止するために、キャップ本体の係合用の突出部に係合する上蓋の突出部に、主突起と補助突起を設け、係止機構を二重にして上蓋の開蓋を防止することも、従来より知られている（例えば、特許文献１参照）。
【特許文献１】特開平１１−３５０６１号公報
【発明の開示】
【発明が解決しようとする課題】
【０００３】
しかしながら、上記特許文献１記載の従来のヒンジキャップは、補助突起の係合によって、それ以上の上蓋の上昇を抑制し、上蓋の開蓋を防止するようにしているので、使用者が上蓋を開閉するためには、補助突起をキャップ本体の係合用の突出部を乗り越えさせなければならず、開蓋の際に大きな力が必要であるという問題があった。
【０００４】
本発明は、上記問題を解決することを課題とし、加熱によるキャップ内の空気の圧力上昇により、ヒンジキャップの上蓋が開蓋することがなく、また、使用者がそれ程強い力を必要としないで上蓋を開閉できるヒンジキャップを提供することを目的とする。
【課題を解決するための手段】
【０００５】
本発明は、上記の課題を解決するため、ヒンジキャップとして、容器の口筒部に取着され、キャップ本体と上蓋からなるヒンジキャップにおいて、キャップ本体は、注出筒と、容器口筒部に嵌着される係合筒部と、上端外周にヒンジを連設する外周筒部とを具えており、係合筒部は、上蓋と係合する蓋係合部が設けられ、外周筒部は、ヒンジの反対側の外周上端に弱化部を介して蓋係合片が設けられており、上蓋は、頂壁と、外筒壁を具え、外筒壁の内周下端は、拡径され、キャップ本体の係合筒部の蓋係合部と係合する係合部が設けられ、外周下端の所定の位置には、ヒンジが連設され、ヒンジの反対側には、摘み部が設けられ、摘み部の中央部と、蓋係合片の上部とが係合することを特徴とする構成を採用する。
【０００６】
摘み部の実施例として、上蓋の摘み部の下面中央には、係合凹部が凹設され、係合凹部が、キャップ本体の蓋係合片の上部に設けられた係合部と嵌合することを特徴とする構成を採用する。
【０００７】
摘み部の別実施例として、上蓋の摘み部の中央には、係合孔が穿設され、係合孔内に、キャップ本体の蓋係合片が嵌挿され、係合孔の上端縁に、キャップ本体の蓋係合片の上部が引掛かるようになっていることを特徴とする構成を採用する。
【発明の効果】
【０００８】
キャップ本体の係合筒部の上面に蓋係合部を設けるとともに、外周筒部の上端に蓋係合片を設けており、上蓋の外筒壁下端に係合部が設けられ、外筒壁下端に設けた摘み部に、前記蓋係合片が嵌合する係合凹部が設けられているので、キャップ本体と上蓋が、蓋係合部と係合部、蓋係合片と摘み部の二個所によって嵌合される。
したがって、キャップ本体と上蓋の嵌合力を強め、上蓋内の圧力上昇による開蓋を防止するとともに、嵌合力を分散させたので、使用者は、上蓋をより簡単に取外すことができる。
【発明を実施するための最良の形態】
【０００９】
次に、本発明のヒンジキャップについて、実施例をあげ、図面を参照して説明する。
【実施例１】
【００１０】
図１、２において、Ａは容器本体に打栓されるキャップ本体、Ｂはキャップ本体ＡにヒンジＣを介して一体成形された上蓋である。
【００１１】
キャップ本体Ａは、底壁１と、底壁１の周縁に連設される注出筒２と、注出筒２の下端外周よりリング状底壁３を介して連設される係合筒部４と、係合筒部４外周に一定の間隔をおいて連設され、上端外周にヒンジＣを連設する外周筒部５とからなっている。
【００１２】
底壁１には、注出口を開口する薄肉の弱化部６により区画された除去部７が設けられており、除去部７の上面には、開口時に除去部を引上げるプルリング８が設けられている。
【００１３】
係合筒部４は、リング状の上壁９と、上壁９の内周縁に垂設され、内周にリング状底壁３外周縁と接続する内筒１０と、上壁９の外周縁に垂設された外筒１１と、上壁９の上部に立設され、上蓋Ｂと係合する蓋係合部１２とからなっている。
外筒１１の内周には、容器本体の口筒部外周と係合する係合突条１３が設けられており、係合筒部４は、打栓時に、内筒１０外周と外筒１１内周により、容器本体の口筒部を挟持してキャップ本体Ａを容器本体の口筒部に装着させる。
【００１４】
外筒１１の下端外周と外周筒部５の下端内周は、外周筒部５のヒンジＣの反対側に設けられた連結片１４と、間隔をおいて複数配設された破断可能な弱化片１５とを介して連設されている。
【００１５】
蓋係合部１２の外周には、外筒１１外周より縮径された縮径部１６と、その上端部に縮径部１６より拡径された膨出部１７とが形成されている。
【００１６】
外周筒部５のヒンジＣ反対側の外周上端には、弱化部１８を介して蓋係合片１９が連設されている。
蓋係合片１９の上端部には、上部が膨出した係合部１９ａが設けられている。
【００１７】
上蓋Ｂは、頂壁２０と、頂壁２０の周縁に垂設された外筒壁２１とからなり、頂壁２０下面には、キャップ本体Ａの注出筒２の内周に挿入される密封リング２２が垂設されている。
【００１８】
外筒壁２１の内周下端は、拡径され、キャップ本体Ａの係合筒部４の蓋係合部１２外周と係合する係合部２３が設けられており、外周下端の所定の位置には、ヒンジＣが連設され、ヒンジＣの反対側には、摘み部２４が配設されている。
【００１９】
係合部２３は、キャップ閉蓋時に、キャップ本体Ａの蓋係合部１２の上面に当接し、係合する上内面２３ａと、蓋係合部１２の外周と係合する側内面２３ｂとから形成されている。
側内面２３ｂの下端には、キャップ本体Ａの蓋係合部１２の膨出部１７と係合する係合突部２５が設けられている。
【００２０】
摘み部２４の下面中央には、キャップ本体Ａの蓋係合片１９の係合部１９ａと嵌合する嵌合部２６を設けた係合凹部２７が凹設されている。
【００２１】
次に、本実施例のヒンジキャップの作用効果について説明する。
ヒンジキャップの閉蓋にあたっては、上蓋Ｂの係合部２３とキャップ本体Ａの蓋係合部１２とを係合させるとともに、上壁Ｂの摘み部２４の係合凹部２７内にキャップ本体Ａの蓋係合片１９を嵌合させ、上蓋Ｂをキャップ本体Ａに閉蓋する。
容器本体内に加熱された内容液を充填し、容器本体の口筒部に、閉蓋したヒンジキャップを上方から打栓する。
【００２２】
本実施例のヒンジキャップは、上壁Ｂの摘み部２４の係合凹部２７と、キャップ本体Ａの蓋係合片１９とが係合することによって、上蓋Ｂのキャップ本体Ａに対する嵌合力を付加しているので、上蓋Ｂの係合部２３と、キャップ本体Ａの蓋係合部１２との嵌合力がそれほど強くなくても、開蓋することを防止できる。
加熱充填直後のキャップ本体Ａと上蓋Ｂの嵌合力は、６〜１３ニュートンであればよく、蓋係合部１２による嵌合力と蓋係合片１９による嵌合力への配分は、適宜選択できる。
【００２３】
上蓋Ｂを開蓋する際には、上蓋Ｂの摘み部２４に指などを掛け、ヒンジＣを支点に上蓋Ｂを廻動すると、図３に示すように、キャップ本体Ａの蓋係合片１９と外周筒部５とを連設する弱化部１８が切断され、蓋係合片１９は、摘み部２４の係合凹部２７に残ったまま、上蓋Ｂが開蓋される。
必要であれば、開蓋後に、蓋係合片１９を、摘み部２４の係合凹部２７から外してもよい。
【００２４】
本発明のヒンジキャップは、上壁Ｂの摘み部２４の係合凹部２７と、キャップ本体Ａの蓋係合片１９とが係合し、上蓋Ｂのキャップ本体Ａに対しての嵌合力を付加することによって、上蓋Ｂの係合部２３と、キャップ本体Ａの蓋係合部１２との嵌合力を弱く設定することができるので、開蓋の際には、蓋係合片１９と摘み部２４による上蓋Ｂとキャップ本体Ａとの嵌合を外すことによって、使用者が上蓋をより開閉し易くすることができる。
【００２５】
本発明のヒンジキャップは、容器を廃棄する際、まず、上蓋Ｂを開蓋し、上蓋Ｂを引張り上げることにより、ヒンジＣを介してキャップ本体Ａの外周筒部５を上昇させ、外周筒部５と係合筒部４との間の弱化片１５を切断する。
次に、外周筒部５と係合筒部４との間の連結片１４を支点として、外周筒部５のヒンジＣ側が上昇し、さらに上蓋Ｂを引張ると、外周筒部５の連結片１４側も上昇される。
【００２６】
最後は、連結片１４を介して係合筒部４の外筒１１の連設部側のみが引張られるので、係合筒部４の外筒１１が変形してキャップ本体Ａと容器本体の口筒部との係合が外れ、簡単にヒンジキャップを容器本体から外して、分別廃棄することができる。
【実施例２】
【００２７】
次に、第１実施例のヒンジキャップの上壁の摘み部と、キャップ本体の蓋係合片との構成を変えた第２実施例について説明する。
本実施例の第１実施例と同一の構成部分には、同一の符号を付して図示し、詳しい説明を省略し、相違点を中心に説明する。  
【００２８】
図４において、Ａａは容器本体に打栓されるキャップ本体、Ｂａはキャップ本体ＡにヒンジＣを介して一体成形された上蓋である。
【００２９】
キャップ本体Ａａの外周筒部５のヒンジＣ反対側の外周上端には、弱化部３０を介して蓋係合片３１が設けられており、蓋係合片３１の内側および外側の上端は、僅かに拡径されている。
【００３０】
上蓋Ｂａの摘み部２４の中央には、キャップ本体Ａａの蓋係合片３１が嵌挿する係合孔３２が穿設されている。
係合孔３２の上端縁は、キャップ本体Ａａの蓋係合片３１嵌挿時に、蓋係合片３１上端の拡径部が引掛かるようになっている。
【００３１】
次に、本実施例のヒンジキャップの作用効果について説明する。
上蓋Ｂａの係合部２３とキャップ本体Ａａの蓋係合部１２とを係合させるとともに、上壁Ｂａの摘み部２４の係合孔３２内に、キャップ本体Ａの蓋係合片３１を嵌挿させ、上蓋Ｂａをキャップ本体Ａａに閉蓋する。
【００３２】
上蓋Ｂａを開蓋する際には、上蓋Ｂａの摘み部２４に指などを掛け、ヒンジＣを支点に上蓋Ｂａを廻動すると、図５に示すように、キャップ本体Ａａの蓋係合片３１と外周筒部５とを連設する弱化部３０が切断され、蓋係合片３１は摘み部２４の係合孔３２に残ったまま、上蓋Ｂａが開蓋される。
その他の作用効果は、実施例１と同じである。
【産業上の利用可能性】
【００３３】
本発明は、ヒンジキャップにおいて、容器内の内容液、または、温水シャワーによりヒンジキャップ内の空気が加熱され、内圧が上昇しても、ヒンジキャップの上蓋が開蓋することを防止できるので、各種の加熱充填する内容液の容器のヒンジキャップとして、広く利用することができる。
【図面の簡単な説明】
【００３４】
【図１】本発明の第１実施例のヒンジキャップの説明図で、（ａ）は断面立面図、（ｂ）は要部拡大図である。
【図２】ヒンジキャップの開蓋時の上面図である。
【図３】ヒンジキャップの開蓋時の要部拡大説明図である。
【図４】本発明の第２実施例のヒンジキャップの説明図で、（ａ）は断面立面図、（ｂ）は要部拡大図である。
【図５】ヒンジキャップの開蓋時の要部拡大説明図である。
【符号の説明】
【００３５】
Ａ、Ａａ    キャップ本体
Ｂ、Ｂａ    上蓋
Ｃ          ヒンジ
１          底壁
２          注出筒
３          リング状底壁
４          係合筒部
５          外周筒部
６、１８、３０    弱化部
７          除去部
８          プルリング
９          上壁
１０        内筒
１１        外筒
１２        蓋係合部
１３        係合突条
１４        連結片
１５        弱化片
１６        縮径部
１７        膨出部
１９、３１  蓋係合片
１９ａ      係合部
２０        頂壁
２１        外筒壁
２２        密封リング
２３        係合部
２３ａ      上内面
２３ｂ      側内面
２４        摘み部
２５        係合突部
２６        嵌合部
２７        係合凹部
３２        係合孔
【図１】
0005122206.tif 000002
【図２】
0005122206.tif 000003
【図３】
0005122206.tif 000004
【図４】
0005122206.tif 000005
【図５】
0005122206.tif 000006